(57)【特許請求の範囲】
【請求項１】
絶縁被膜を有するワイヤを複数束ねて形成したコイル端末を複数集めて結線して，モータにおける中性点を形成する方法において，
上記複数のコイル端末における各ワイヤを束ねて中性点用端末を形成すると共に，該中性点用端末をその断面が略円形状となるように圧縮して，該中性点用端末の見かけ上の断面積を減少させる圧縮工程と，
上記中性点用端末に中空部を有する円筒状のスリーブを装着するスリーブ装着工程と，
上記スリーブを一対の電極で挟持して押圧すると共に，該一対の電極の間に通電し，上記ワイヤの上記絶縁被膜を除去するフュージング工程とを含むことを特徴とするモータにおける中性点の形成方法。
【請求項２】
請求項１において，上記圧縮工程においては，上記中性点用端末の先端部に，最も断面積を減少させた小径部を設けることを特徴とするモータにおける中性点の形成方法。
【請求項３】
絶縁被膜を有するワイヤを複数束ねて形成したコイル端末を複数集めて結線して，モータにおける中性点を形成する方法において，
上記複数のコイル端末における各ワイヤを束ねて中性点用端末を形成すると共に，該中性点用端末に中空部を有する円筒状のスリーブを装着するスリーブ装着工程と，
上記スリーブをその円筒状の形状における断面略円形状を維持した状態で圧縮して，上記中性点用端末の見かけ上の断面積を減少させる圧縮工程と，
上記スリーブを一対の電極で挟持して押圧すると共に，該一対の電極の間に通電し，上記ワイヤの上記絶縁被膜を除去するフュージング工程とを含むことを特徴とするモータにおける中性点の形成方法。
【請求項４】
請求項３において，上記圧縮工程においては，上記スリーブの圧縮は扱き加工により行うことを特徴とするモータにおける中性点の形成方法。
【請求項５】
請求項１〜４のいずれか一項において，上記スリーブは，上記中性点用端末を挿入する開口端部の内側面に，端部に近づくにつれて拡径するテーパ部を有することを特徴とするモータにおける中性点の形成方法。
【発明の詳細な説明】
【０００１】
【技術分野】
本発明は，複数相モータにおいて，絶縁被膜を有するワイヤを複数束ねて形成したコイル端末を複数集めて結線して中性点を形成するモータにおける中性点の形成方法に関する。
【０００２】
【従来技術】
従来より，例えば，３相モータにおいては，３つのコイル端末を結線して中性点を形成している。
図１４に示すごとく，上記各コイル端末９１は複数のワイヤ９１１よりなり，上記結線を行う際には，上記３つのコイル端末９１における各ワイヤ９１１を束ねて中性点用端末９０を形成する。
そして，図１５に示すごとく，上記中性点用端末９０を挿入可能な内径を備えた中空部９２１を有する円筒状のスリーブ９２を上記中性点用端末９０に装着する。
【０００３】
そして，図１６に示すごとく，上記中性点用端末９０に装着したスリーブ９２を一対の電極９４１で挟持して押圧すると共に，この一対の電極９４１の間に通電を行ってフュージングを行う。これにより，上記ワイヤ９１１の表面に被覆された絶縁被膜が熱によって除去されると共に，各ワイヤが軟化する。
そして，各ワイヤ９１１の間の空隙９３９が減少し，その分上記スリーブ９２が変形する。そのため，スリーブ９２が楕円形状に偏平し，得られる中性点９は，全体的に断面が偏平した楕円形状に形成される。
【０００４】
【解決しようとする課題】
ところで，上記中性点９の形状が偏平率が大きい楕円形状の場合には，スリーブ９２全体における最大幅が大きくなってしまう。そのため，例えば，上記スリーブ９２の最大幅を有する部分がモータにおいて大きく突出してしまい，モータ全体の外形寸法を増大させてしまう等の不具合を生じる場合がある。
【０００５】
本発明は，かかる従来の問題点に鑑みてなされたもので，スリーブの偏平率が小さい，モータにおける中性点の形成方法を提供しようとするものである。
【０００６】
【課題の解決手段】
第１の発明は，絶縁被膜を有するワイヤを複数束ねて形成したコイル端末を複数集めて結線して，モータにおける中性点を形成する方法において，
上記複数のコイル端末における各ワイヤを束ねて中性点用端末を形成すると共に，該中性点用端末をその断面が略円形状となるように圧縮して，該中性点用端末の見かけ上の断面積を減少させる圧縮工程と，
上記中性点用端末に中空部を有する円筒状のスリーブを装着するスリーブ装着工程と，
上記スリーブを一対の電極で挟持して押圧すると共に，該一対の電極の間に通電し，上記ワイヤの上記絶縁被膜を除去するフュージング工程とを含むことを特徴とするモータにおける中性点の形成方法にある（請求項１）。
【０００７】
上記圧縮工程においては，まず，上記各ワイヤを束ねて中性点用端部を形成する。このときには，上記各ワイヤ同士の間には空隙があり，上記中性点用端部の見かけ上の断面積は上記空隙も含めた大きさとなっている。次に，本発明においては，上記空隙を有する中性点用端末をその断面が略円形状となるように圧縮を行う。これにより，上記各ワイヤ同士の間の空隙が減少し，上記見かけ上の断面積が減少する。
【０００８】
そして，上記スリーブ装着工程においては，上記見かけ上の断面積を減少させた中性点用端末に上記中空部を有する円筒状のスリーブを装着する。このとき，このスリーブは，上記見かけ上の断面積が減少した中性点用端末に装着するため，従来よりも中空部の断面積が小さく，外径の小さいスリーブを使用することができる。
【０００９】
そして，上記フュージング工程においては，上記中性点用端末に装着したスリーブを一対の電極で挟持して押圧すると共に，該一対の電極の間に通電を行う。このとき，上記通電により上記中性点用端末にジュール熱が発生し，該中性点用端末における各ワイヤに被覆した絶縁被膜が除去されると共に各ワイヤが軟化する。また，上記スリーブは，上記電極からの押圧力によって中空部における断面積が減少するように変形する。
【００１０】
ここで，このフュージング工程におけるスリーブの変形量は従来よりも小さい。すなわち，本発明では，上記フュージング工程を行う前に上記圧縮工程を行っている。そして，この圧縮工程において，上記見かけ上の中性点用端末の断面積において余分な面積である上記各ワイヤ同士の間の空隙を予め減少させている。そのため，上記フュージング工程において，上記一対の電極による押圧を行う際に，この押圧を行って上記スリーブの中空部における断面積を減少させる変形量を小さくすることができる。
【００１１】
また，上記スリーブの変形量が小さいため，上記スリーブの円筒状の形状における断面略円形状をあまり偏平させることなく，上記モータにおける中性点を形成することができる。そのため，例えば，スリーブの偏平率が大きい場合のモータにおける不具合の発生を防止することができる。
【００１２】
第２の発明は，絶縁被膜を有するワイヤを複数束ねて形成したコイル端末を複数集めて結線して，モータにおける中性点を形成する方法において，
上記複数のコイル端末における各ワイヤを束ねて中性点用端末を形成すると共に，該中性点用端末に中空部を有する円筒状のスリーブを装着するスリーブ装着工程と，
上記スリーブをその円筒状の形状における断面略円形状を維持した状態で圧縮して，上記中性点用端末の見かけ上の断面積を減少させる圧縮工程と，
上記スリーブを一対の電極で挟持して押圧すると共に，該一対の電極の間に通電し，上記ワイヤの上記絶縁被膜を除去するフュージング工程とを含むことを特徴とするモータにおける中性点の形成方法にある（請求項３）。
【００１３】
本発明においては，上記スリーブ装着工程において，上記各ワイヤを束ねて中性点用端部を形成した際に，この中性点用端末に中空部を有する円筒状のスリーブを装着する。
そして，上記圧縮工程においては，このスリーブをその円筒状の形状における断面略円形状を維持した状態で圧縮する。つまり，本発明においては，上記中性点用端末に装着した状態のスリーブを圧縮することにより，スリーブの外径を小さくする。
【００１４】
そして，上記中性点用端末を構成する各ワイヤ同士の間の空隙を減少させて，上記中性点用端末の見かけ上の断面積を上記フュージング工程を行う前に予め減少させる。
そして，その後，上記第１の発明と同様にして上記フュージング工程を行い，モータにおける中性点を形成する。そのため，本発明によっても，フュージング工程におけるスリーブの変形量を従来よりも小さくすることができ，スリーブの偏平率が小さいモータにおける中性点を形成することができる。
【００１５】
【発明の実施の形態】
上述した本発明における好ましい実施の形態につき説明する。
上記第１の発明における圧縮工程においては，上記中性点用端末の先端部に，最も断面積を減少させた小径部を設けることが好ましい（請求項２）。
この場合，上記スリーブ装着工程において，上記中性点用端末に上記スリーブを装着する際に，まずは上記小径部を上記スリーブに挿入した後，上記装着を行うことができる。そのため，上記中性点用端末への上記スリーブの装着が容易になる。
【００１６】
また，上記第２の発明において，上記圧縮工程においては，上記スリーブの圧縮は扱き加工により行うことが好ましい（請求項４）。
この場合，上記スリーブの断面略円形状を維持した状態で，このスリーブをその軸方向に引き伸ばすことができる。そのため，容易にスリーブの外径を小さくして，上記中性点用端末の見かけ上の断面積を減少させることができる。
【００１７】
また，上記第１，第２の発明において，上記スリーブは，上記中性点用端末を挿入する開口端部の内側面に，端部に近づくにつれて拡径するテーパ部を有することが好ましい（請求項５）。
この場合，上記スリーブ装着工程において，上記中性点用端末に上記スリーブを装着する際に，上記テーパ部によって上記中性点用端末の先端部を容易にスリーブの中空部に挿入することができる。そのため，上記中性点用端末へのスリーブの装着が一層容易になる。
【００１８】
【実施例】
以下に，図面を用いて本発明の実施例につき説明する。
（実施例１）
図１，図２に示すごとく，本例のモータにおける中性点１を形成する方法においては，絶縁被膜を有するワイヤ３１１を複数束ねて形成したコイル端末３１を複数集めて結線して中性点１を形成する。
そして，まずは，図３に示すごとく，圧縮工程として，上記複数のコイル端末３１における各ワイヤ３１１を束ねて中性点用端末３を形成する。そして，この中性点用端末３をその断面が略円形状となるように圧縮して，中性点用端末３の見かけ上の断面積を減少させる。
【００１９】
次いで，図５に示すごとく，スリーブ装着工程として，上記中性点用端末３に中空部２１を有する円筒状のスリーブ２を装着する。
そして，図９，図１０に示すごとく，フュージング工程として，上記スリーブ２を一対の電極６１で挟持して押圧すると共に，該一対の電極６１の間に通電する。こうして，上記ワイヤ３１１の絶縁被膜を除去して，複数相モータにおける中性点１を形成する。
【００２０】
以下に，これを詳説する。
本例においては，３相モータにおける中性点１を形成する。また，本例の３相モータは，電気自動車又はハイブリッドカーに用いるものである。
また，図２に示すごとく，３相モータにおけるステータコア１０に配設されたコイル３０は，一方の端末には上記コイル端末３１を有し，他方の端末にはステータコア１０の外部に接続される外部接続用端末３２を有している。上記コイル端末３１及び外部接続用端末３２は，いずれも上記ステータコア１０の外部に位置している。また，３つのコイル端末３１による中性点用端末３より形成された中性点１は，ステータコア１０における円筒形状の端面部１０１近傍より外方に突出したコイル３０のコイルエンド上に配置されている。
【００２１】
本例においては，図３に示すごとく，上記圧縮工程及びスリーブ装着工程を行うに際しては，上記中性点用端末３を挟持して圧縮することができる圧縮装置４を使用する。
この圧縮装置４は，上記中性点用端末３を挟持する挟持部４１と，上記中性点用端末３を圧縮する圧縮部４２とを有する。上記挟持部４１は，上記中性点用端末３にスリーブ２を装着する際に，上記中性点用端末３が横にずれないように挟持することができるようになっている。
【００２２】
上記圧縮部４２は，上記中性点用端末３を構成する各ワイヤ３１１同士を互いに密接させることができる圧縮成形口４３を有している。上記圧縮部４２は，上記中性点用端末３の外径を縮小させて縮径部３５を形成する縮小成形部４２１を有している。また，圧縮部４２は，一部に上記縮径部３５を形成すると共に，上記中性点用端末３の先端部３８における外径を，上記縮径部３５よりもさらに縮小させて最も断面積が減少した小径部３５１を形成する先端成形部４２２とを有している。
【００２３】
また，上記圧縮成形口４３は，上記縮小成形部４２１における縮小成形口４３１と，上記先端成形部４２２における先端成形口４３２とよりなり，この先端成形口４３２は，上記縮小成形口４３１よりも小さな内径を有している。
本例においては，上記縮小成形部４２１及び先端成形部４２２は，いずれも３つに分割されており，３方向から上記中性点用端末３を圧縮することができるようになっている（図示略）。
【００２４】
また，本例においては，図８に示すごとく，上記フュージング工程を行うに際しては，一対の電極６１及びこの一対の電極６１に通電することができる電源６２を有するフュージング装置６を使用する。
上記一対の電極６１は，互いに対向するよう配置されており，上記中性点用端末３に装着したスリーブ２を挟持して押圧するようになっている。
【００２５】
次に，上記圧縮装置４と上記フュージング装置６とを用いて中性点１を形成する方法につき，順を追って説明する。
上記モータにおける中性点１を形成するに当たっては，まず，上記圧縮工程において，上記３つのコイル端末３１における各ワイヤ３１１を束ねて，略円形状の断面を有する中性点用端末３を形成する。このとき，中性点用端末３を構成する各ワイヤ３１１同士の間には空隙３９があり，上記中性点用端末３の見かけ上の断面積は上記空隙３９も含めた大きさとなっている。
なお，上記中性点用端末３を形成した際には，この中性点用端末３に若干のねじりを加えておくことにより，各ワイヤ３１１の解れがなくなり，中性点用端末３の取り扱いが容易になる。
【００２６】
そして，図３に示すごとく，上記中性点用端末３の一部３７を上記圧縮装置４における挟持部４１によって挟持する。また，中性点用端末３の先端部３８近傍の端部３６を上記縮小成形部４２１における縮小成形口４３１で圧縮すると共に中性点用端末３の先端部３８を上記先端成形部４２２における先端成形口４３２で圧縮する。
このとき，上記中性点用端末３において，上記縮小成形口４３１によって上記端部３６を縮小させて形成した縮径部３５においては，上記各ワイヤ３１１同士の間の空隙３９が減少して，各ワイヤ３１１同士が互いに密着する。そして，上記中性点用端末３の縮径部３５における上記見かけ上の断面積が減少する。
【００２７】
また，上記圧縮工程において，上記先端成形口４３２により圧縮された中性点用端末３の先端部３８は，その軸方向の先端側に向けて引き伸ばされるようにして塑性変形をして小径部３５１となる。これにより，上記中性点用端末３の小径部３５１における見かけ上の断面積は，上記縮径部３５の見かけ上の断面積に比べてより一層大きく減少する。
また，上記３つに分割された縮小成形部４２１及び先端成形部４２２により，上記中性点用端末３はその断面が略円形状となるように圧縮される。
【００２８】
次いで，図４に示すごとく，上記スリーブ装着工程において，上記先端成形部４２２を上記中性点用端末３の小径部３５１より離して，この小径部３５１に上記中空部２１を有する円筒状のスリーブ２を挿入する。このとき，上記縮径部３５に比べて外径が縮小した上記小径部３５１により，容易に上記挿入を行うことができる。
また，このとき，上記スリーブ２は，上記中性点用端末３を挿入する開口端部２２１の内側面２２２に，端部２２に近づくにつれて拡径するテーパ部２３を有しているため，より一層容易に上記挿入を行うことができる。
【００２９】
次いで，図５に示すごとく，上記縮小成形部４２１を上記中性点端末における縮径部３５より離して，上記スリーブ２を上記縮径部３５に押し込み，スリーブ２を中性点用端末３に装着する。このとき，上記スリーブ２は，上記見かけ上の断面積が減少した中性点用端末３の縮径部３５に装着するため，従来よりも中空部２１の断面積が小さく，外径の小さいものを使用することができる。
【００３０】
次いで，図６に示すごとく，上記縮小成形部４２１により，中性点用端末３の縮径部３５に装着したスリーブ２を押圧し，このスリーブ２が上記中性点用端末３より外れないように仮止めを行う。
その後，図７に示すごとく，上記縮小成形部４２１を上記スリーブ２より離すと共に，上記挟持部４１による上記中性点用端末３の挟持を開放して，上記スリーブ２の仮止めを行った中性点用端末３を上記圧縮装置４より取り出す。
【００３１】
次いで，図８に示すごとく，上記フュージング工程において，上記中性点用端末３の縮径部３５に装着したスリーブ２を一対の電極６１で挟持する。
そして，図９に示すごとく，上記一対の電極６１により，上記中性点用端末３の縮径部３５に装着したスリーブ２を押圧すると共に，上記電源４２により一対の電極６１の間に通電を行う。このとき，上記通電により上記中性点用端末３にジュール熱が発生し，この中性点用端末３の縮径部３５における各ワイヤ３１１に被覆した絶縁被膜が炭化する。また，上記ジュール熱の発生により各ワイヤ３１１が軟化する。
【００３２】
そして，上記炭化をした絶縁被膜は，上記一対の電極６１による荷重により上記中性点用端末３の軸方向から外部に押し出されて除去される。
また，上記スリーブ２は，上記電極６１からの押圧力によって中空部２１における断面積が減少するように変形する。
【００３３】
ここで，このフュージング工程におけるスリーブ２の変形量は従来よりも小さい。すなわち，本例では，上記フュージング工程の前に上記圧縮工程を行っている。そして，この圧縮工程において，上記見かけ上の中性点用端末３の断面積において余分な面積である上記各ワイヤ３１１同士の間の空隙３９を予め減少させている（図３参照）。そのため，上記フュージング工程において，上記一対の電極６１による押圧を行う際に，この押圧を行って上記スリーブ２の中空部２１における断面積を減少させる変形量を小さくすることができる。
【００３４】
また，図１に示すごとく，上記スリーブ２の変形量が小さいため，上記スリーブ２の円筒状の形状における断面略円形状をあまり偏平させることなく，上記モータにおける中性点１を形成することができる。そのため，例えば，スリーブ２の偏平率が大きい場合のモータにおける不具合の発生を防止することができる。
【００３５】
（実施例２）
本例は，図１０〜図１３に示すごとく，スリーブ装着工程において，上記中性点用端末３に上記スリーブ２の装着を行うと共に，圧縮工程において，上記中性点用端末３に装着したスリーブ２をその円筒状の形状における断面略円形状を維持した状態で圧縮して，上記中性点用端末３の見かけ上の断面積を減少させる例である。
図１０に示すごとく，本例においては，上記圧縮工程においては，扱き装置５によって，上記スリーブ２に扱き加工を行って，このスリーブ２を縮径させる。
【００３６】
上記扱き装置５は，上記スリーブ２を挿入することができる挿入口５１１，及び上記スリーブ２の外径よりも小さな内径を備えると共に上記挿入口５１１の内径を絞って形成した押出口５１２を備えた本体部５１を有している。また，上記扱き装置５は，上記本体部５１と共に上記スリーブ２を上記押出口５１２に押圧して，縮径したスリーブ２を上記押出口５１２より押し出す押圧部５２を有している。
また，上記押圧部５２は，上記本体部５１の挿入口５１１よりも小さな外径を有していると共に，上記円筒状のスリーブ２のいずれか一方の端部２２に当接するようになっている。
【００３７】
上記モータにおける中性点１を形成するに当たっては，まず，上記スリーブ装着工程において，上記３つのコイル端末３１における各ワイヤ３１１を束ねて，略円形状の断面を有する中性点用端末３を形成する。このとき，中性点用端末３を構成する各ワイヤ３１１同士の間には空隙３９があり，上記中性点用端末３の見かけ上の断面積は上記空隙３９も含めた大きさとなっている。
【００３８】
また，図１０，図１１に示すごとく，上記扱き装置５の本体部５１における挿入口５１１に上記スリーブ２を挿入し，この挿入口５１１に挿入したスリーブ２の中空部２１に上記中性点用端末３を挿入する。こうして，上記スリーブ２が上記中性点用端末３に装着された状態を形成する。このとき，上記スリーブ２には上記テーパ部２３が設けてあるため，上記挿入を容易に行うことができる。
【００３９】
次いで，図１２，図１３に示すごとく，上記圧縮工程において，上記本体部５１と上記押圧部５２とを互いに近づける方向に相対的に移動させる。このとき，上記本体部５１と押圧部５２とにより，上記スリーブ２がその一方の端部２２から順に上記押出口５１２に押し当てられる。
そして，上記スリーブ２の外径が縮小し，中性点用端末３における各ワイヤ３１１同士の間の空隙３９が減少して，各ワイヤ３１１同士が互いに密着する。
こうして，上記圧縮工程において，上記中性点用端末３における上記見かけ上の断面積を上記フュージング工程を行う前に予め減少させると共に，スリーブ２が中性点用端末３より外れないように仮止めを行う。
【００４０】
その後，上記実施例１と同様にして上記フュージング工程を行い，モータにおける中性点１を形成する。そのため，本例によっても，上記フュージング工程におけるスリーブの変形量を従来よりも小さくすることができ，スリーブ２の偏平率が小さいモータにおける中性点１を形成することができる。その他は，上記実施例１と同様であり，上記実施例１と同様の作用効果を得ることができる。
【図面の簡単な説明】
【図１】実施例１における，モータにおける中性点を示す斜視図。
【図２】実施例１における，モータにおけるステータコアの側面部における中性点の配置を示す説明図。
【図３】実施例１における，圧縮工程において，中性点用端末を圧縮して縮小させた状態を示す断面説明図。
【図４】実施例１における，スリーブ装着工程において，スリーブを中性点用端末の先端部に挿入した状態を示す断面説明図。
【図５】実施例１における，スリーブ装着工程において，スリーブを中性点用端末に装着した状態を示す断面説明図。
【図６】実施例１における，スリーブ装着工程において，圧縮装置により中性点用端末を押圧して仮止めを行った状態を示す断面説明図。
【図７】実施例１における，スリーブ装着工程において，スリーブを装着した中性点用端末を圧縮装置より取り出す状態を示す断面説明図。
【図８】実施例１における，フュージング工程において，中性点用端末に装着したスリーブを一対の電極で挟持した状態を示す断面説明図。
【図９】実施例１における，フュージング工程において，中性点用端末に装着したスリーブを一対の電極で押圧すると共に，一対の電極の間に通電を行った状態を示す断面説明図。
【図１０】実施例２における，スリーブ装着工程において，扱き装置内にスリーブを挿入した状態を示す断面説明図。
【図１１】実施例２における，スリーブ装着工程において，扱き装置内に挿入したスリーブの中空部に中性点用端末を挿入した状態を示す断面説明図。
【図１２】実施例２における，圧縮工程において，扱き装置により扱き加工を行っている状態を示す断面説明図。
【図１３】実施例２における，圧縮工程において，扱き装置により扱き加工を行い，スリーブの外径を縮小させた状態を示す断面説明図。
【図１４】従来例における，モータにおける中性点を示す斜視図。
【図１５】従来例における，スリーブを中性点用端末に装着した状態を示す断面説明図。
【図１６】従来例における，中性点用端末に装着したスリーブにフュージングを行った状態を示す断面説明図。
【符号の説明】
１．．．中性点，
２．．．スリーブ，
２１．．．中空部，
３．．．中性点用端末，
３１．．．コイル端末，
３１１．．．ワイヤ，
６１．．．電極，
【図１】
0003826767.tif 000002
【図２】
0003826767.tif 000003
【図３】
0003826767.tif 000004
【図４】
0003826767.tif 000005
【図５】
0003826767.tif 000006
【図６】
0003826767.tif 000007
【図７】
0003826767.tif 000008
【図８】
0003826767.tif 000009
【図９】
0003826767.tif 000010
【図１０】
0003826767.tif 000011
【図１１】
0003826767.tif 000012
【図１２】
0003826767.tif 000013
【図１３】
0003826767.tif 000014
【図１４】
0003826767.tif 000015
【図１５】
0003826767.tif 000016
【図１６】
0003826767.tif 000017